(57)【要約】【課題】  支柱のＣ字溝条に連結金具のネジに螺装した裏板を挿入してネジの回転で該裏板を引寄せて連結金具と裏板とでＣ字溝条の対向片を締着挟持するように連結金具に支持したフェンス本体が，その垂直荷重により支柱１の下方にずれるのを防止する。【解決手段】  裏板５のコーナーにＣ字溝条１１の対向片１２側に向けて傾斜突出し先端を角出しした交差突片５２を設置し，ネジ４締着の回転によって裏板５を引寄せるに際してその交差突片５２の先端が対向片１２の裏面に食込み状に係止するようにし，またネジ４をＣ字溝条１１の底壁に設置したネジ受孔１４に貫通してネジ４を支柱１に対して支持して，フェンス本体２の垂直荷重によるずれを解消する。【選択図】      図４
2006336704.tif 000002
【特許請求の範囲】
【請求項１】
連結金具に回転自在に配置したネジに硬質金属製ピース状の裏板を螺装し，アルミ押出材製支柱等の支持体に形成したＣ字溝条の正面開口から上記裏板の長辺を正面開口に平行に挿入して上記ネジを回転することによって連れ回りする上記裏板の短辺をＣ字溝条の側壁に対接して連れ回り阻止状態で更にネジを回転することによって該裏板を正面側に引寄せて上記連結金具とピース状の裏板によってＣ字溝条の対向片を締着挟持し，上記連結金具に支持したフェンス本体等の連結対象物を上記支持体に連結支持自在とした連結装置であって，上記硬質金属製ピース状の裏板がその一方の対角線上にして回転方向後続側の片側又は両側のコーナーに正面側に向けて交差し先端を角出しした交差突片を備え，上記ネジ回転による裏板の引寄せに際して該交差突起の先端を上記Ｃ字溝条の対向片の裏面に対して食込み状に係止してなることを特徴とする連結対象物の支持体連結装置。
【請求項２】
上記支持体に形成したＣ字溝条の底壁の長手方向所定位置にネジ受孔を配置し，上記裏板を正面側に引寄せたネジ先端を該ネジ受孔に挿入乃至螺入して受入れることによって該ネジを追加的に底壁に貫通支持してなることを特徴とする請求項１に記載の連結対象物の支持体連結装置。
【発明の詳細な説明】
【技術分野】
【０００１】
本発明は，フェンス等の連結対象物を支柱等の支持体に連結するに際して好適に用いられる連結対象物の支持体連結装置に関する。
【背景技術】
【０００２】
図１０及び図１１に示すように，例えば，門扉本体やフェンスを支柱１に連結するについて，連結金具３に回転自在に配置したネジ４に硬質金属製ピース状の裏板５を螺装し，アルミ押出材製支柱等の支持体に形成したＣ字溝条の正面開口から上記裏板の長辺を正面開口に平行に挿入して上記ネジ４を回転することによって連れ回りする上記裏板５の短辺をＣ字溝条の側壁に対接して連れ回り阻止状態で更にネジ４を回転することによって該裏板５を正面側に引寄せて上記連結金具３とピース状の裏板５によってＣ字溝条の対向片を締着挟持し，上記連結金具に支持したフェンス本体等の連結対象物を上記支持体に連結支持自在とした連結装置が知られており，このときピース状の裏板４は，コーナーがＣ字溝条の側壁に当って短辺を側壁に対接するための連れ回りが不能となるのを防止し，裏板４に上記Ｃ字溝条内で１／４円乃至それ以下の角度の回転を許容するように回転方向に先行する側の対角線上両側のコーナーを角落しするか，更にはいずれの方向の回転をも可能とするように四隅のコーナーを角落しした，例えばプレスによる打抜き加工を施した平坦にして長辺と短辺を有する厚肉のプレートによって形成したものとされている。
【０００３】
【非特許文献１】東洋エクステリア株式会社  平成３年５月発売「ジャンボアルミ４型」製品添付の取付説明書
【発明の開示】
【発明が解決しようとする課題】
【０００４】
この場合，支柱等の支持体に伸縮門扉本体やフェンス本体等の連結対象物を連結するについて，支柱に形成されたＣ字溝条に対してその正面からピース状の裏板を挿入し，連結金具を上下方向にスライドしてその高さ調整を行なうことによってこれらを支柱の所定高さ位置に支持した連結をなし得て，その連結作業を可及的に容易化することができる。
【０００５】
しかし乍ら，この場合，伸縮門扉本体やフェンス本体等の連結対象物はそれ自体相当程度の重量を有する上，その設置状態で様々な外力を受けることによって鉛直荷重を受けるが，該連結装置は連結金具と裏板によってＣ字溝条の対向片を締着挟持するものであるから，連結対象物が鉛直荷重を受けることによってこれら支持体に連結した連結対象物が支持体の連結位置から下方に向けて落ち込むようにずれる可能性が残っており，連結対象物にずれが生じると，例えば伸縮門扉本体ではその施錠が不可能になったり，フェンス本体では支柱を挟んでその幅方向に段差が生じて外観を損なったりするといった問題点を招くことになる。
【０００６】
本発明はかかる事情に鑑みてなされたもので，その解決課題とするところは上記連結作業の容易性を維持しながら連結対象物の鉛直荷重によるずれを防止して支持体の上下方向定位置における支持を可及的簡易且つ確実になし得るようにした連結対象物の支持体連結装置を提供するにある。
【課題を解決するための手段】
【０００７】
上記課題に添って本発明は，連結金具に回転自在に配置したネジを回転することによって，該裏板を支持体のＣ字溝条における対向片に対して引寄せて連結金具と該裏板で対向片を締着挟持するに際して，硬質金属の裏板コーナーに正面側，即ち対向片側に向けた先端角出しの交差突片を設置し，裏板の引寄せによって該交差突片をアルミ押出材にして軟質金属の対向片に対して食込み状に係止し，上記締着挟持を該食込み状係止の状態で行うことによって連結対象物の上下方向定位置の支持を行なうようにしたものであって，即ち請求項１に記載の発明を，連結金具に回転自在に配置したネジに硬質金属製ピース状の裏板を螺装し，アルミ押出材製支柱等の支持体に形成したＣ字溝条の正面開口から上記裏板の長辺を正面開口に平行に挿入して上記ネジを回転することによって連れ回りする上記裏板の短辺をＣ字溝条の側壁に対接して連れ回り阻止状態で更にネジを回転することによって該裏板を正面側に引寄せて上記連結金具とピース状の裏板によってＣ字溝条の対向片を締着挟持し，上記連結金具に支持したフェンス本体等の連結対象物を上記支持体に連結支持自在とした連結装置であって，上記硬質金属製ピース状の裏板がその一方の対角線上にして回転方向後続側の片側又は両側のコーナーに正面側に向けて交差し先端を角出しした交差突片を備え，上記ネジ回転による裏板の引寄せに際して該交差突起の先端を上記Ｃ字溝条の対向片の裏面に対して食込み状に係止してなることを特徴とする連結対象物の支持体連結装置としたものである。
【０００８】
請求項２に記載の発明は，上記に加えて，更に上記締着挟持のためのネジを，支持体のＣ字溝条における底壁に支持することによって，上記交差突片の角出しした先端による食込み状の係止とともにネジ先端の支持によって，連結対象物の定位置支持をより確実とするように，これを，上記支持体に形成したＣ字溝条の底壁の長手方向所定位置にネジ受孔を配置し，上記裏板を正面側に引寄せたネジ先端を該ネジ受孔に挿入乃至螺入して受入れることによって該ネジを追加的に底壁に貫通支持してなることを特徴とする請求項１に記載の連結対象物の支持体連結装置としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，連結金具に回転自在に配置したネジを回転することによって，該裏板を支持体のＣ字溝条における対向片に対して引寄せて連結金具と該裏板で対向片を締着挟持するに際して，硬質金属の裏板コーナーに正面側，即ち対向片側に向けた先端角出しの交差突片を設置し，裏板の引寄せによって該交差突片を軟質金属の対向片に対して食込み状に係止し，上記締着挟持を該食込み状係止の状態で行うことによって連結対象物の上下方向定位置の支持を行なうようにして，連結作業の容易性を維持しながら連結対象物の鉛直荷重によるずれを防止して支持体の上下方向定位置における支持を可及的簡易且つ確実になし得るようにした連結対象物の支持体連結装置を提供することができる。
【００１１】
請求項２に記載の発明は，上記に加えて，更に上記締着挟持のためのネジを，支持体のＣ字溝条における底壁に支持することによって，上記交差突片の角出しした先端による食込み状の係止とともにネジ先端の支持によって，連結対象物の定位置支持をより確実とすることができる。
【発明を実施するための最良の形態】
【００１２】
以下図面の例に従って更に本発明を具体的に説明すれば，Ａはフェンスであり，該フェンスＡは，上下位の連結金具３に支持した連結対象物のフェンス本体２を，アルミ押出材製支持体の支柱１に上下複数段，例えば２段に連結支持して構成したものとしてあり，このとき支持体に対する連結対象物たるフェンス本体２の連結は，上記連結金具３に回転自在に配置したネジ４に硬質金属製ピース状の裏板５を螺装し，上記支持体に形成したＣ字溝条１１の正面開口から上記裏板５の長辺を正面開口に平行に挿入して上記ネジ４を回転することによって連れ回りする上記裏板５の短辺をＣ字溝条１１の側壁に対接して連れ回り阻止状態で更にネジ４を回転することによって該裏板５を正面側に引寄せて上記連結金具３とピース状の裏板５によってＣ字溝条１１の対向片１２を締着挟持して，これを行なったものとしてある。
【００１３】
本例においてフェンス本体２は，アルミ押出材の上下横枠２１と左右縦枠２２とを枠組みした外枠と該外枠内に配置した仕切面２３を備えたものとし，支柱１は同じくアルミ押出材製の断面矩形乃至方形にしてその外周面に単一乃至複数，本例にあっては外周面の正面に縦長全長のＣ字溝条１１を形成したものとしてあり，このとき本例にあって該Ｃ字溝条１１は，支柱１の正面中央位置に段部を形成するようにやや凹陥した位置に一対の対向片１２を突出し，該対向片１２間を開口するように側壁と底壁とをその内側に配置することによって形成してあり，本例のＣ字溝条１１はその底壁幅方向中央位置に断面Ｈ字状をなす如くに配置して上記ネジ４のタップ切り用のネジ受１３を備えたものとしてある。
【００１４】
フェンス本体２は，その外枠の上下横枠２１を上記連結金具３によって挟み込むようにして支柱１に連結支持してあり，このとき連結金具３は，上記フェンス本体２の上下横枠２１をその上面又は底面と正面とで抱持するように断面Ｌ字状の支持部３１と，該支持部３１から上方又は下方に起立してその面内に後述のネジ４を挿通するためのネジ透孔３４を透設した固定部３３とを備えて，上記裏板５と同様に硬質金属，例えば厚肉ステンレス製の板材をプレス加工することによって断面略Ｓ字状を呈するブラケット状のものとしてある。このとき本例の支持部３１は，これを，例えば支柱１と略同幅の幅広とする一方，固定部３３は，これを該幅広の支持部３１の幅方向中央に配置した幅狭の舌片状の起立片によるものとしてあり，該起立片の固定部３３を上記支柱１のＣ字溝条１１の段部に嵌挿することによって，該連結金具３が支柱１に対して上下にスライド自在にしてネジ透孔３４に挿通したネジ４をその外側，本例にあっては正面側から回転自在としてある。
【００１５】
連結金具３，特に上記起立片とした固定部３３に回転自在に配置したネジ４に螺装した上記硬質金属製ピース状の裏板５は，例えば長辺と短辺を有する厚肉ステンレス製のピース状板材を同じくプレス加工して平面略矩形の小片をなすピース部材によるものとするとともにその短辺の幅を上記支柱１のＣ字溝条１１と略等しい幅とし且つ該Ｃ字溝条１１内で１／４円乃至それ以下の角度の回転を許容するようにそのコーナー，特にネジ４の回転に連れ回りするに際してその回転方向に先行する側の対角線上の両側のコーナーを角落しする一方，その面内に正面側に向けて隆起するようにネジ４螺装用のナット部５１を形成したものとしてある。
【００１６】
該裏板５は，上記連結金具３に回転自在に配置したネジ４をそのナット部５１に螺装した状態で，本例にあって上記支柱１の外周正面側に配置した上記Ｃ字溝条１１の正面開口からその長辺を該正面開口に平行に挿入し，上記連結金具３の固定部３３とともに対向片１２を表裏で挟むように配置し，上記ネジ４を回転することによって該裏板５を連れ回りさせて角落ししたコーナーをやりすごしてその短辺をＣ字溝条１１の側壁に対接してその連れ回りを阻止し，この連れ回りを阻止した状態で更にネジ４を回転することによって該裏板５を正面側に引寄せて，上記連結金具３とピース状の裏板５によってＣ字溝条１１の対向片１２を締着挟持してあり，このときネジ４は，その先端を上記断面Ｈ字状としたＣ字溝条１１底壁のネジ受１３にタップ切りして該ネジ受１３内に螺入し，該ネジ４をネジ受１３に支持することによってフェンス本体２の鉛直荷重によるずれを可及的に防止しながら，上記連結金具３に支持した上記フェンス本体２を支柱１の上下方向所定高さの定位置に上下２段に連結支持したものとしてある。
【００１７】
上記裏板５は，その一方の対角線上にして回転方向後続側の片側又は両側，本例にあっては両側のコーナーに正面側に向けて交差し先端を角出しした交差突片５２を備えたものとし，上記ネジ４回転による裏板５の引寄せに際して該交差突起５２の先端を上記Ｃ字溝条１１の対向片１２の裏面に対して食込み状に係止し，これによって，裏板５を支柱１のＣ字溝条１１，即ちその対向片１２に引掛け状とし，上記締着挟持を該食込み状係止の状態で行うことによって連結対象物たるフェンス本体２の上下方向定位置の支持を確実に行なうようにしてある。
【００１８】
本例にあって該交差突片５２は，裏板５の上記対角線上に位置する両側のコーナーを該コーナー近傍で，例えば１５〜３０度程度の角度，本例にあっては２０度程度の傾斜角度で正面側に傾斜交差して一体に設置してあり，本例の交差突片５２の設置は，これを裏板５の上記プレス加工時に同時に傾斜するように上記角度に折曲してその傾斜交差を行ったものとしてある。このとき該交差突片５２の先端には，長辺と短辺が交わるコーナーをそのまま残すことによってその先端の角出しを行なってあり，従って本例の裏板５は，長辺と短辺を有する平面矩形のピース状板材の４隅のうち一方の対角線上に位置する両側のコーナーを角落しするとともに他方の対角線上に位置する両側のコーナーに正面側に向けて尖った先端をなすように先端を角出しした交差突片５２を配置し，平坦部分と交差突片５２を交差方向に傾斜して立ち上げ，更に上記隆起したナット部５１を有する形態のものとしてある。
【００１９】
従って上記ネジ４を回転して支柱１のＣ字溝条１１内で裏板５を正面側に引寄せると，Ｃ字溝条１１の開口を挟んで対向する，軟質金属のアルミ押出材による一対の対向片１２の裏面に対して，硬質金属製裏板５の交差突片５２，特にその上記角出しした両側の先端が接触するとともにネジ４の更なる回転に伴って対向片１２の裏面に対して圧接されてこれが食込み状に係止するに至り，該交差突片５２が対向片１２に引掛け状となって支柱１に対して当初設置した上下方向定位置でフェンス本体２を定位置に支持してその連結支持を行なうことができ，従って本例にあって上記ネジ４のネジ受１３に対する螺入によるずれの可及的防止に加えて，フェンス本体２の鉛直荷重によるずれが生じるのを防止したものとしてある。
【００２０】
このとき本例の上記フェンス本体２の連結支持は，上位の連結金具３において以上のようになされるものとしてあるが，特にフェンス本体２の鉛直荷重を直接に受ける下側の横枠２１用に用いる下位の連結金具３にあっては，更に上記支持体の支柱１に形成したＣ字溝条１１の底壁の長手方向所定位置にネジ受孔１４を配置し，上記裏板５を正面側に引寄せたネジ４先端を該ネジ受孔１４に挿入乃至螺入して受入れることによって該ネジ４を底壁に貫通支持したものとしてあり，これによって上記タップ切りしてネジ受１３に螺入することによるネジ４の支持，上記交差突片５２の対向片１２に対する食込み状の係止に加えて，更に該ネジ４を支柱１に支持してフェンス本体２の鉛直荷重によるずれが生じる可能性を更に確実に解消するようにしてある。
【００２１】
本例にあって上記ネジ受孔１４は，支柱１のＣ字溝条１１における底壁に配置した断面Ｈ字状の上記ネジ受１３の奥行方向底壁面に設置し，上記ネジ４のネジ受１３への螺入に伴って進行するネジの先端を該ネジ受孔１４に螺入し又は螺入することなく挿入することによって該ネジ４の先端を支柱１のＣ字溝条１１底壁に貫通してその支持を行なったものとしてある。
【００２２】
このように構成した本例の連結対象物たるフェンス本体２の支持体たる支柱１への連結は，例えば支柱１に下位の連結金具３を設置し，その支持部３１にフェンス本体２の下側の横枠２１を載置し，上側の横枠２１に添わせるように上位の連結金具３を設置して，必要に応じて上下位置の調整を施して，連結金具３によるフェンス本体２の支持を行なうにすればよく，このとき各連結金具３は，予め連結金具３のネジ透孔３２にネジ４を挿通し，該ネジ４に裏板５を螺装した状態で，裏板５を立てるようにその長辺を支柱のＣ字溝条１１に平行として該裏板５を該Ｃ字溝条１１の正面開口から挿入して，ネジ４をドライバーによって締着方向に回転すればよい。これにより裏板５は１／４円乃至これ以下の角度で連れ回りしてその短辺がＣ字溝条１１の側壁に対接して該連れ回りが阻止された状態で正面側に引寄せられ，その先端角出しの交差突片５２がＣ字溝条１１を正面側で画する一対の対向片１２の裏面に食込み状に係止されることにより，また特に下位の連結金具３にあっては，該食込み状の係止とともに更にネジ４がＣ字溝条１１の底壁に配置したネジ受孔１４に貫通支持されることにより，支柱１の上下方向定位置におけるフェンス本体２の確実且つ強固な連結を行うことができる。従って本例の連結装置による連結は，連結作業を簡易になし得るとともに簡単な構造によって裏板の交差突片５２をＣ字溝条１１の対向片１２に対して食込み状に係止し，下位の連結金具３にあってはこれに回転自在に配置したネジ４をＣ字溝条１１の底壁に貫通支持することによって，連結対象物たるフェンス本体２の鉛直荷重によるずれの可能性を確実に解消して，連結を簡易且つ確実にして強固なものとすることができる。
【００２３】
図中１５は支柱１の上端に被嵌固定したキャップ，３２は下位の連結金具３の支持部３１に透設したフェンス本体２の下側の横枠２１固定用の透孔を示す。
【００２４】
図示した例は以上のとおりとしたが，上記先端を角出しした交差突片を裏板における一方の対角線上にして回転方向後続柄の片側のコーナーに備えたものとすること，支持体をパネル体に配置した縦枠とし，連結対象部物を該パネル体の内側乃至外側に配置した郵便受箱等の付属設置物とすること，連結金具を断面Ｌ字状の水平な支持部と垂直な固定部を有する形態のものとすること等を含めて，本発明の実施に当って連結金具，裏板，支持体，連結対象物，裏板に設置する交差突片，その角出しした先端，支柱，そのＣ字溝条，必要に応じて用いるＣ字溝条のネジ受孔等の各具体的形状，構造，材質，これらの関係，これらに対する付加等は，上記発明の要旨に反しない限り様々な形態のものとすることができる。
【図面の簡単な説明】
【００２５】
【図１】フェンス本体と支柱との連結状態を示す正面図である。
【図２】フェンス本体と支柱との連結状態を示す縦断面図である。
【図３】上位の連結金具，裏板，Ｃ字溝条の関係を示す横断面図である。
【図４】下位の連結金具，裏板，Ｃ字溝条の関係を示す横断面図である。
【図５】連結金具と裏板の関係を示す背面図である。
【図６】裏板のＣ字溝条に対する挿入の状態を示す横断面図である。
【図７】Ｃ字溝条の側壁に裏板が対接した状態を示す背面図である。
【図８】裏板の拡大正面図である。
【図９】裏板の拡大平面図である。
【図１０】伸縮門扉における従来の連結金具，裏板，Ｃ字溝条の関係を示す正面図である。
【図１１】伸縮門扉における従来の連結金具，裏板，Ｃ字溝条の関係を示す横断面図である。
【符号の説明】
【００２６】
Ａ  フェンス
１  支柱
１１  Ｃ字溝条
１２  対向片
１３  ネジ受
１４  ネジ受孔
２  フェンス本体
２１  上下横枠
２２  左右縦枠
２３  仕切面
３  連結金具
３１  支持部
３２  ネジ透孔
３３  固定部
３４  ネジ透孔
４  ネジ
５  裏板
５１  ナット部
５２  交差突片
【図１】
2006336704.tif 000003
【図２】
2006336704.tif 000004
【図３】
2006336704.tif 000005
【図４】
2006336704.tif 000006
【図５】
2006336704.tif 000007
【図６】
2006336704.tif 000008
【図７】
2006336704.tif 000009
【図８】
2006336704.tif 000010
【図９】
2006336704.tif 000011
【図１０】
2006336704.tif 000012
【図１１】
2006336704.tif 000013